(57)【特許請求の範囲】
【請求項１】
上下方向に所定の間隔を置いて配設された一対の支持フレームの先端部に取着された支持棒と、垂直部と該垂直部の上下端から水平方向に延在する水平部とからなり、且つ、前記水平部の自由端部が、前記一対の支持フレームの背板側に取り付けられた略コの字状の回動自在な規制部材と、底面と相対する長側壁と相対する短側壁とからなり、前記相対する長側壁のうち、前方に位置する長側壁には、所定の間隔をおいて、一対の縦長の凹部が形成されているとともに、前記相対する短側壁の一方の短側壁には、光コード導入口と支持体とが形成されており、また、前記相対する短側壁のもう一方の短側壁には、光コネクタ部材が取り付けられているトレイ本体とを有し、前記支持棒を、前記トレイ本体の一方の短側壁に形成されている支持体の縦孔部に挿入することにより、前記支持棒に複数の前記トレイ本体を回動自在に支持し、前記トレイ本体の前方に位置する長側壁に形成された縦長の凹部に、前記規制部材の垂直部を挿入することにより、前記トレイ本体の回動が阻止されるように構成されていることを特徴とする光配線装置。
【請求項２】
光コネクタ部材が取り付けられている短側壁の内壁面と前方に位置する長側壁の内壁面とにより形成される角度を、９０度を越える角度として、光コネクタ部材が取り付けられている短側壁を、トレイ本体の内側に傾斜して配置したことを特徴とする請求項１に記載の光配線装置。
【発明の詳細な説明】
【０００１】
【発明の属する技術分野】
本発明は、光心線の余長部や接続部を収納する光心線トレイが収容された光配線装置に関するものである。
【０００２】
【従来の技術】
従来の引出し状の光心線トレイは、光心線の融着部とコネクタ接続部の両方及び光心線の余長部を収納した箱型のトレイであり、光心線の出入りは、光心線トレイの左右側の出入り口からなされていた。そして、これら心線トレイは、複数段、筐体や架体等からなる光配線装置に収容されており、光心線の新設や切り替え作業やコネクタの接続作業等の作業を行う場合には、光配線装置内に収容されている所定の光心線トレイを手前に引き出して作業空間を形成し、光心線の新設、切り替え作業やコネクタ接続作業等を行っていた。
【０００３】
【発明が解決しようとする課題】
上述した光心線の新設、切り替え作業やコネクタ接続作業等の作業のうち、新設、切り替え作業は、コネクタ接続作業に比べて、作業頻度が少ないにもかかわらず、上述した従来の光配線装置においは、新設、切り替え作業及びコネクタ接続作業の何方の作業を行うにしても、常に、所定の光心線トレイを光配線装置から手前に引き出している。従って、光心線トレイを引き出す回数が多くなり、そのために、作業者が、不用意に、光心線の余長部に触れて光心線の光損失を増大させたり、或いは、光心線トレイに出入りする光心線にストレスを与えることにより、光損失を更に増大させるという問題があった。
【０００４】
本発明の目的は、上述した従来の光配線装置が有する課題を解決するとともに、光心線の新設、切り替え作業やコネクタ接続作業等の作業性が向上した光配線装置を提供することにある。
【０００５】
【課題を解決するための手段】
本発明は上述した目的を達成するために、第１には、上下方向に所定の間隔を置いて配設された一対の支持フレームの先端部に取着された支持棒と、垂直部と該垂直部の上下端から水平方向に延在する水平部とからなり、且つ、前記水平部の自由端部が、前記一対の支持フレームの背板側に取り付けられた略コの字状の回動自在な規制部材と、底面と相対する長側壁と相対する短側壁とからなり、前記相対する長側壁のうち、前方に位置する長側壁には、所定の間隔をおいて、一対の縦長の凹部が形成されているとともに、前記相対する短側壁の一方の短側壁には、光コード導入口と支持体とが形成されており、また、前記相対する短側壁のもう一方の短側壁には、光コネクタ部材が取り付けられているトレイ本体とを有し、前記支持棒を、前記トレイ本体の一方の短側壁に形成されている支持体の縦孔部に挿入することにより、前記支持棒に複数の前記トレイ本体を回動自在に支持し、前記トレイ本体の前方に位置する長側壁に形成された縦長の凹部に、前記規制部材の垂直部を挿入することにより、前記トレイ本体の回動が阻止されるように構成したものであり、第２には、光コネクタ部材が取り付けられている短側壁の内壁面と前方に位置する長側壁の内壁面とにより形成される角度を、９０度を越える角度として、光コネクタ部材が取り付けられている短側壁を、トレイ本体の内側に傾斜して配置したものである。
【０００６】
【実施例】
以下に、本発明の実施例について説明するが、本発明の趣旨を越えない限り何ら、本実施例に限定されるものではない。
【０００７】
１は、光心線トレイのトレイ本体であり、トレイ本体１は、上部が開放された、平面形状が略長方形状の箱型形状に形成されている。トレイ本体１の底面２の中央部上面には、高さの低い支持筒状体３ａが立設されている。また、底面２の上面には、所定の間隔で複数個の円柱体４が立設されている。トレイ本体１の長手方向の一方の長側壁５（図１において、手前側に位置する長側壁）には、長側壁５を内側方向に膨出させて、一対の膨出部５ａを形成することにより、長側壁５の上下方向に延在する一対の縦長の凹部６、７が、所定の間隔をおいて形成されている。トレイ本体１の一方の短側壁８（図１において、左側に位置する短側壁）の長側壁５側の端部からは、長側壁５と平行に外側に延在する張出壁９が形成されており、張出壁９と長側壁５との間には、有底の光コード導入口１０が形成されている。
【０００８】
光コード導入口１０に近接する短側壁８の外壁面には、縦スリット１１及び縦孔部１２を有する略円柱状の支持体１３が取着されている。また、支持体１３が取着された短側壁８と相対する短側壁１４は、全体として、トレイ本体１の内側に傾斜して配置されており、短側壁１４には、複数の光コネクタ部材１５が取り付けられている。なお、本実施例においては、支持体１３が取着された短側壁８と相対する部分に開口を設けるとともに、相対する長側壁５、１６の端部から互いに接近する方向に短側部１４ａを形成し、該短側部１４ａに形成された凹部１４ａ１に、光コネクタ部材１５が取り付けられた板状部１４ｂの両端部が挿入されるように構成されている。また、長側壁５の上部には、水平溝１７ａを有するレール１７が形成されており、同様に、長側壁５と相対する長側壁１６の上部にも、水平溝１８ａを有するレール１８が形成されている。更に、光コネクタ部材１５が取り付けられた短側壁１４側に位置する長側壁５の端部は、短側壁１４を越えて外側に延在しており、長側壁５の短側壁１４を越えて外側に延在する部分は、長側壁５より手前に屈曲し、把手板部１９ａを構成している。また、図４に示されているように、光コネクタ部材１５が取り付けられた短側壁１４の奥部（長側壁１６側）には、水平方向に延在する水平板部１９ｂが形成されている。なお、３ｂは、相対する長側壁５、１６と短側壁１４とにより形成される隅部付近に位置する底面２に形成された、長側壁５、１６や短側壁８、１４と略同じ高さを有する支持筒状体３ｂであり、本実施例においては、３個の支持筒状体３ｂが形成されている。
【０００９】
図２において、２０は、本発明の光心線トレイを構成する、平面形状が略長方形状の融着接続部保持体であり、トレイ本体１に蓋状に挿入されるように構成されている。融着接続部保持体２０は、平板部２１と、該平板部２１の一方の短辺部２２から垂直に上方に延在する垂直板部２３と、垂直板部２３の上端から、平板部２１と反対方向に延在する水平延長板部２４とを有している。平板部２１の一方の長辺部２５（図２においては、手前側に位置する長辺部）には、長手方向に沿って、細長い切欠部２６が形成されており、融着接続部保持体２０を、トレイ本体１に挿入した際に、切欠部２６に、長側壁５に形成された一対の膨出部５ａが入り込むことができるように構成されている。また、平板部２１の上面には、光心線の融着接続部を保持する融着部保持部２７が形成されているとともに、平板部２１の上面は、光心線が巻回された状態の余長心線が載置される余長心線載置部２８として機能するように構成されている。更に、平板部２１のもう一方の短辺部２９付近には、垂直部３０ａと、垂直部３０ａの上端から内側に延在する水平部３０ｂとからなる略Ｌ字状の心線係止具３０が配置されており、同様に、上記の垂直板部２３の上端からは、心線係止具３０方向に延在する水平板３１ａからなる心線係止具３１が、心線係止具３０に対向するように形成されている。３２は、平板部２１の短辺部２９に形成された切欠部である。なお、３３ａは、水平延長板部２４に形成された一対の凹み部であり、一対の凹み部３３ａ間には、融着接続部保持体２０用の把手部３３ｂが形成されている。
【００１０】
図３において、３４は、筐体３５の背板３５ａに、上下方向に所定の間隔を置いて、ボルト３６等の適当な固着具により取着された一対の支持フレームである。３７は、一定の間隔を置いて、鍔部３７ａが取着された支持棒であり、支持棒３７は、一対の支持フレーム３４間に配置されており、支持フレーム３４の先端部に穿設された透孔３４ａに、螺子３８を挿通するとともに、支持棒３７の上下端部に形成された螺子孔（図示されていない。）に螺合させることにより、一対の支持フレーム３４間に、垂直状に取着されている。
【００１１】
３９は、垂直部３９ａと、垂直部３９ａの上下端から水平方向に延在する水平部３９ｂとを有する略コの字状に形成された棒状の規制部材であり、規制部材３９の水平部３９ｂの自由端部には、透孔３９ｃ１が穿設された取り付け部３９ｃが形成されている。一対の支持フレーム３４の背板３５ａ側には、透孔３４ｂが穿設されており、一対の支持フレーム３４に穿設された透孔３４ｂ及び規制部材３９の水平部３９ｂに形成された取り付け部３９ｃの透孔３９ｃ１に、ワッシャー４０やリングバネ４１を介して、ボルト４２を挿通するとともに、ボルト４２にナット４３を螺合させることにより、棒状の規制部材３９が、一対の支持フレーム３４に回動自在に配設されている。規制部材３９の上方の水平部３９ｂは、上方に配置された支持フレーム３４の上面側に位置しており、また、規制部材３９の下方の水平部３９ｂは、下方に配置された支持フレーム３４の下面側に位置するように配置されている。４４は、上方に配置された支持フレーム３４の上面に、棒状の規制部材３９の水平部３９ｂが係合可能な所定の間隔をおいて突設された一対の係合突起であり、一対の係合突起４４は、支持フレーム３４の一方の長辺３４ｃ側に接近して配設されている。４５は、支持フレーム３４に突設された一対の係合突起４４と、支持フレーム３４に穿設された支持棒３７の取り付け用の透孔３４ａとの略中間に位置する支持フレーム３４の上面に突設された支持棒３７の回動阻止突起である。
【００１２】
４６は、略角柱状のトレイ保持枠であり、トレイ保持枠４６は、背板３５ａに取着された一対の支持フレーム３４と、所定の間隔を置いて、同じく、背板３５ａに取着されており、トレイ保持枠４６の支持フレーム３４側の側面には、支持フレーム３４側に開口を有する凹部４６ａが、所定の間隔を置いて複数個、形成されている。凹部４６ａには、上述した、トレイ本体１の光コネクタ部材１５が取り付けられた短側壁１４に形成された水平板部１９ｂが挿入されるように構成されている。
【００１３】
一対の支持フレーム３４間に配置された支持棒３７の隣接する鍔部３７ａ間に、トレイ本体１に取着された略円柱状の支持体１３を挿入するとともに、支持体１３の縦スリット１１に、支持棒３７を嵌入することにより、支持棒３７を、支持体１３の縦孔部１２に挿入する。このようにして、複数のトレイ本体１を、支持棒３７に、回転自在に支持する。また、トレイ本体１の光コネクタ部材１５が取り付けられた短側壁１４に形成された水平板部１９ｂを、トレイ保持枠４６に形成された凹部４６ａに挿入することにより、トレイ保持枠４６により、トレイ本体１の水平板部１９ｂが支持されることになる。このようにして、図６や図９に示されているように、筐体３５内に、複数のトレイ本体１が、重なるように、複数段に配置されることになる。
【００１４】
次に、図４を用いて、複数の光心線ｗ１を有する光コードＷのトレイ本体１や融着接続部保持体２０等への配置手段について説明する。
【００１５】
トレイ本体１の光コード導入口１０から導入された光コードＷは、融着接続部保持体２０の平板部２１に載置されるとともに、トレイ本体１内において、複数の光心線ｗ１に分けられた後、光心線ｗ１の複数回、巻回された余長部ｗ１ａが、余長心線載置部２８に載置される。また、トレイ本体１の光コード導入口１０から導入された光心線ｗ１と光コネクタ部材１５側の光心線ｗ２とは、融着接続部Ｃにおいて接続され、融着接続部Ｃは、融着接続部保持体２０に形成された融着部保持部２７により保持される。なお、光コネクタ部材１５側の光心線ｗ２は、トレイ本体１底面２に載置されるとともに、適宜、底面２の上面に突設された複数個の円柱体４間を通過した後、融着接続部保持体２０の平板部２１に形成された切欠部３２を通って、融着接続部保持体２０の平板部２１に載置されるように構成されている。上記のように、光コードＷや光心線ｗ１、ｗ２が配置された融着接続部保持体２０は、水平延長板部２４が、短側壁１４の上端及びトレイ本体１の底面２に立設された支持筒状体３ｂの上端に載置され支持されるとともに、平板部２１が、トレイ本体１の底面２の上面に立設された筒状体３ａの上端に載置され支持されるように、トレイ本体１内に配置されることになる。トレイ本体１内に、融着接続部保持体２０が配置された後、長側壁５の上部に配設されたレール１７の水平溝１７ａ及び長側壁１６の上部に配設されたレール１８の水平溝１８ａに、平面形状が長方形状の板状カバー４７の相対する長辺側縁部４７ａを挿入することにより、トレイ本体１を被蓋する。なお、板状カバー４７の一方の長辺側縁部４７ａには、トレイ本体１を被蓋した際に、トレイ本体１の長側壁５に形成された一対の縦長の凹部６、７の邪魔にならないように、一対の切り欠き部４７ｂが形成されている。
【００１６】
トレイ本体１、融着接続部保持体２０及び板状カバー４７からなる光心線トレイＴは、上述したように、隣接する鍔部３７ａ間に位置する支持棒３７に、トレイ本体１に取着された略円柱状の支持体１３を挿入するとともに、トレイ本体１の光コネクタ部材１５が取り付けられた短側壁１４に形成された水平板部１９ｂを、トレイ保持枠４６に形成された凹部４６ａに挿入することにより、図６に示されているように、筐体３５内に、上下方向に重なるように、複数段に収容される。この状態においては、棒状の規制部材３９の垂直部３９ａは、図６に示されているように、トレイ本体１の前方の長側壁５（図６において、手前側に位置する長側壁）に形成された一対の縦長の凹部６、７より、光コネクタ部材１５が取り付けられた短側壁１４側に位置する長側壁５の外壁面に当接或いは接近するように位置している。このような状態で、光心線トレイＴは、光配線装置３３の筐体３５内に収容されている。
【００１７】
次いで、所定の光心線トレイＴ１の把手板部１９ａを持って、光心線トレイＴ１を、支持棒３７を中心に、手前に回動させると（図７において、時計方向）、棒状の規制部材３９も、ボルト４２を中心に回動し、規制部材３９の垂直部３９ａは、その回動中に、図７に示されているように、トレイ本体１の前方の長側壁５に形成された一対の縦長の凹部６、７のうち、光コネクタ部材１５が取り付けられた短側壁１４側に位置する凹部６、換言すれば、光心線トレイＴ１の回動中心である支持棒３７から遠い位置にある凹部６に入り込み、トレイ本体１の回動が停止する。なお、先ず最初に、棒状の規制部材３９を回動させて、規制部材３９の水平部３９ｂを、上方に配置された支持フレーム３４の上面に突設された一対の係合突起４４間に挿入し係合させ、次いで、光心線トレイＴ１を、支持棒３７を中心に、手前に回動させることにより、規制部材３９の垂直部３９ａを、トレイ本体１の前方の長側壁５に形成された一対の縦長の凹部６、７のうち、光コネクタ部材１５が取り付けられた短側壁１４側に位置する凹部６に入り込ませるようにしてもよい。この状態で、光コネクタ部材１５へのコネクタ１５ａの接続作業を行う。
【００１８】
上述したように、光コネクタ部材１５が取り付けられている短側壁１４は、トレイ本体１の内側に傾斜して配置されているので、換言すれば、光コネクタ部材１５が取り付けられている短側壁１４の内壁面と前方に位置する長側壁５の内壁面とにより形成される角度は、９０度を越えて形成されているので、規制部材３９の垂直部３９ａが、トレイ本体１の前方の長側壁５に形成された一対の縦長の凹部６、７のうち、光コネクタ部材１５が取り付けられた短側壁１４側に位置する凹部６に入り込んだ状態においては、光コネクタ部材１５が取り付けられている短側壁１４は、光コネクタ部材１５が取り付けられている短側壁１４の内壁面と前方に位置する長側壁５の内壁面とにより形成される角度が９０度の場合に比べて、より手前側、即ち、作業者が位置している長側壁５側に向いているので、コネクタ１５ａの光コネクタ部材１５への接続作業がより容易になる。
【００１９】
コネクタの接続作業の終了後、規制部材３９の垂直部３９ａを、光コネクタ部材１５が取り付けられた短側壁１４側に位置する凹部６から取り出すとともに、光心線トレイＴ１を、筐体３５の背板３５ａ方向に回動させ、次いで、規制部材３９の垂直部３９ａを、長側壁５の外壁面に当接或いは接近するまで、筐体３５の背板３５ａ方向に回動させて、図６に示されている状態に戻す。なお、本実施例においては、規制部材３９の垂直部３９ａが、トレイ本体１の前方の長側壁５に形成された一対の縦長の凹部６、７のうち、光コネクタ部材１５が取り付けられた短側壁１４側に位置する凹部６に入り込んだ状態においては、光心線トレイＴ１のトレイ本体１の前方の長側壁５は、１５〜４５度程度、前方に回動するように構成されており、また、光コネクタ部材１５が取り付けられている短側壁１４の内壁面と前方に位置する長側壁５の内壁面とにより形成される角度は、１００〜１３０度程度に形成されている。
【００２０】
また、図６に示されている状態から、先ず最初に、棒状の規制部材３９を回動させて、水平部３９ｂを、上方に配置された支持フレーム３４の上面に突設された回動阻止突起４５に当接させる。次いで、光心線トレイＴ２を、支持棒３７を中心に、手前に回動させることにより、図８に示されているように、規制部材３９の垂直部３９ａを、光心線トレイＴ２のトレイ本体１の前方の長側壁５に形成された一対の縦長の凹部６、７のうち、光コネクタ部材１５が取り付けられた短側壁１４から遠い方の凹部７、換言すれば、光心線トレイＴ２の回動中心である支持棒３７に対して近い方に位置する凹部７に入り込ませる。このようにして、所定の光心線トレイＴ２を、他の光心線トレイＴに対して、略９０度回動させて、光心線トレイＴ２の上方に、光心線トレイＴ２の略全面に亘たって作業空間を形成する。この状態において、光心線ｗ１、ｗ２の新設や切り替え作業を行う。このように、光心線トレイＴ２の上方に、光心線トレイＴ２の略全面に亘たって作業空間を形成することができるので、光心線ｗ１、ｗ２の新設作業や切り替え作業の作業性が向上することになる。また、トレイ本体１内の光コネクタ部材１５の心線作業が必要な場合には、融着接続部保持体２０を取り外して光コネクタ部材１５の心線作業を行う。光心線ｗ１、ｗ２の新設や切り替え作業等の終了後、規制部材３９の垂直部３９ａを、光コネクタ部材１５が取り付けられた短側壁１４側に位置する凹部７から取り出すとともに、光心線トレイＴ２を、筐体３５の背板３５ａ方向に回動させ、次いで、規制部材３９の垂直部３９ａを、長側壁５の外壁面に当接或いは接近するまで、筐体３５の背板３５ａ方向に回動させて、図６に示されている状態に戻す。
【００２１】
上述したように、上下方向に所定の間隔を置いて配設された支持フレーム３４に、支持棒３７を取着するとともに、規制部材３９を回動自在に配設し、支持棒３７には、複数の光心線トレイＴのトレイ本体１を回動自在に枢着し、更に、トレイ本体１の前方に位置する長側壁５には、規制部材３９の垂直部３９ａが挿入可能な凹部６、７を、所定の間隔を置いて形成し、コネクタ１５ａの光コネクタ部材１５への接続作業の際には、光コネクタ部材１５が取り付けられた短側壁１４側に位置する凹部６に、規制部材３９の垂直部３９ａを入り込ませて、光心線トレイＴを、９０度未満の所定角度回動させるとともに、トレイ本体１の回動を規制するように構成したので、作業頻度の多いコネクタ接続作業の際の光心線ｗ１、ｗ２への過度のストレス付与を防止することができる。また、規制部材３９の垂直部３９ａが、凹部６に入り込むことにより、コネクタ接続作業の際に、トレイ本体１が、不用意に回動するようなことがないので、トレイ本体１が大きく回動し、作業者が、光心線の余長部に触れて光心線の光損失を増大させるようなことも防止できる。更に、規制部材３９の垂直部３９ａを、光コネクタ部材１５が取り付けられた短側壁１４から遠い方の凹部７、換言すれば、支持棒３７側に位置する凹部７に入り込ませることにより、光心線トレイＴの上方に、光心線トレイＴの略全面に亘たって作業空間を形成することができるので、光心線ｗ１、ｗ２の新設作業や切り替え作業の作業性が向上することになる。
【００２２】
光コネクタ部材１５が取り付けられている短側壁１４の内壁面と前方に位置する長側壁１５の内壁面とにより形成される角度を、９０度を越える角度として、光コネクタ部材１５が取り付けられている短側壁１４を、トレイ本体１の内側に傾斜して配置したので、光コネクタ部材１５が取り付けられている短側壁１４の内壁面と前方に位置する長側壁５の内壁面とにより形成される角度が９０度の場合に比べて、光コネクタ部材１５が取り付けられている短側壁１４が、より手前側、換言すれば、作業位置である前方に位置する長側壁１５側に向いているので、コネクタ１５ａの光コネクタ部材１５への接続作業がより容易になる。
【００２３】
【発明の効果】
本発明は、上述したように構成されているので、以下に記載する効果を奏することができる。
【００２４】
コネクタ接続作業の際に、光心線トレイが大きく回動させることがなく、且つ、コネクタ接続作業の際の光心線トレイの回動が規制されるように構成されているので、作業頻度の多いコネクタ接続作業の際の光心線への過度のストレス付与を防止することができるとともに、光心線トレイの不用意な回動が阻止されているので、光心線トレイが大きく回動し、作業者が、光心線の余長部に触れて光心線の光損失を増大させるようなことも防止できる。更に、光心線の新設作業や切り替え作業の際には、光心線トレイの上方に、光心線トレイの略全面に亘たって作業空間を形成することができるので、光心線の新設、切り替え作業の作業性が向上する。
【００２５】
光コネクタ部材が取り付けられている側壁の内壁面と前方に位置する側壁の内壁面とにより形成される角度が９０度の場合に比べて、光コネクタ部材が取り付けられている側壁が、より作業位置側に向いているので、コネクタの光コネクタ部材への接続作業がより容易になる。
【図面の簡単な説明】
【図１】図１は本発明の光配線装置を構成する光心線トレイ等の斜視図である。
【図２】図２は本発明の光配線装置を構成する同融着接続部保持体の斜視図である。
【図３】図３は本発明の光配線装置を構成する支持フレーム、支持棒、規制部材、トレイ保持枠等の斜視図である。
【図４】図４は光心線等の配置を含む本発明の光配線装置を構成する光心線トレイの分解斜視図である。
【図５】図５は本発明の光配線装置の部分分解斜視図である。
【図６】図６は本発明の光配線装置の作動を説明するための光配線装置の部分斜視図である。
【図７】図７は同じく本発明の光配線装置の作動を説明するための光配線装置の部分斜視図である。
【図８】図８は同じく本発明の光配線装置の作動を説明するための光配線装置の部分斜視図である。
【図９】図９は本発明の光配線装置の概略全体斜視図である。
【符号の説明】
Ｔ・・・・・・・・光心線トレイ
１・・・・・・・・トレイ本体
５、１６・・・・・長側壁
６、７・・・・・・凹部
８、１４・・・・・短側壁
２０・・・・・・・融着接続部保持体
３４・・・・・・・支持フレーム
３７・・・・・・・支持棒
３９・・・・・・・規制部材
４７・・・・・・・板状カバー
【図１】
0003884248.tif 000002
【図２】
0003884248.tif 000003
【図３】
0003884248.tif 000004
【図４】
0003884248.tif 000005
【図５】
0003884248.tif 000006
【図６】
0003884248.tif 000007
【図７】
0003884248.tif 000008
【図８】
0003884248.tif 000009
【図９】
0003884248.tif 000010